(57)【要約】【課題】物品陳列棚の構造を重厚にすることなく、物品陳列棚に対してシャッター扉を取り付けることができるシャッターユニット、シャッター付き物品陳列棚及び物品陳列棚へのシャッター取り付け方法を提供する。【解決手段】シャッターユニット１００は、支持部２０の前方に設けられる前部杆１０１と、前記支持部２０の後方に設けられる後部杆１０４と、対応する前記前部杆１０１の上部と前記後部杆１０４の上部とを連結する連結杆１０５と、それぞれ対応する前記前部杆１０１、前記連結杆１０５及び前記後部杆１０４にわたって連続して設けられるレール１０８と、該レール１０８に沿って移動して物品陳列棚２の前面を開閉するシャッター扉１０９とを備えることを特徴とする。【選択図】図１
2015023895.tif 000002
【特許請求の範囲】
【請求項１】
左右方向に離間する複数の支持部及び隣り合う前記支持部間に設けられ物品を載置可能な棚板部材を有する物品陳列棚へのシャッターユニットであって、
前記支持部の前方に設けられる前部杆と、
前記支持部の後方に設けられる後部杆と、
対応する前記前部杆の上部と前記後部杆の上部とを連結する連結杆と、
それぞれ対応する前記前部杆、前記連結杆及び前記後部杆にわたって連続して設けられるレールと、
該レールに沿って移動して前記物品陳列棚の前面を開閉するシャッター扉とを備えることを特徴とするシャッターユニット。
【請求項２】
前記物品陳列棚は、前記支持部の下部から前方に向かって延びるベース脚を有し、
前記レールは、前記前部杆、前記連結杆、前記後部杆及び前記ベース脚にわたって連続して設けられていることを特徴とする請求項１に記載のシャッターユニット。
【請求項３】
前記一対の連結杆を互いに連結する天板をさらに有することを特徴とする請求項１または請求項２に記載のシャッターユニット。
【請求項４】
左右方向に離間する複数の支持部及び該隣り合う支持部間に設けられ物品を載置可能な棚板部材を有する物品陳列棚と、
請求項１から請求項３のいずれか一項に記載のシャッターユニットとを備えることを特徴とするシャッター付き物品陳列棚。
【請求項５】
前記物品陳列棚が、３つ以上の前記支持部を有し、
前記支持部のうち、左右方向両側に他の前記支持部がそれぞれ配された前記支持部に設けられた前記前部杆、前記連結杆及び前記後部杆には、左右方向両側それぞれに前記レールが設けられていることを特徴とする請求項４に記載のシャッター付き物品陳列棚。
【請求項６】
左右方向に離間する複数の支持部及び該隣り合う支持部間に設けられ物品を載置可能な棚板部材を有する物品陳列棚へ、シャッターを取り付ける物品陳列棚へのシャッター取り付け方法であって、
前記支持部のそれぞれ前方に前部杆を取り付け、
前記支持部のそれぞれ後方に後部杆を取り付け、
前記前部杆の上部と前記後部杆の上部とを、それぞれ連結杆で連結し、
それぞれ対応する前記前部杆、前記連結杆及び前記後部杆にわたって、レールを取り付け、
該レールに沿って移動して前記物品陳列棚の前面を開閉するシャッター扉を取り付けることを特徴とする物品陳列棚へのシャッター取り付け方法。
【発明の詳細な説明】
【技術分野】
【０００１】
本発明は、シャッターユニット、シャッター付き物品陳列棚及び物品陳列棚へのシャッター取り付け方法に関するものである。
【背景技術】
【０００２】
一般に、スーパーマーケットやコンビニエンスストア等の店舗には、商品を陳列する商品陳列棚が複数設置されている。この商品陳列棚としては、幅方向に離間して配置された左右一対の側部フレームと、該一対の側部フレームの後部間に配置された後面板と、一対の側部フレームに支持され商品を陳列可能な棚板とを備えたものが提案されている（下記特許文献１参照）。この商品陳列棚は、さらに、側部フレームの内側に配置されたガイドレールと、該ガイドレールに摺動可能にはめ込まれたシャッター扉とを備えている。
【０００３】
このような商品陳列棚では、ガイドレール内でシャッター扉を摺動させ、シャッター扉を開けると棚板に載置された商品の取り出しが可能となり、シャッター扉を閉じて棚板に載置された物品を保護することができる。
【先行技術文献】
【特許文献】
【０００４】
【特許文献１】特開平１０−１５５６１０号公報
【発明の概要】
【発明が解決しようとする課題】
【０００５】
ここで、上記の特許文献１に記載の商品陳列棚では、棚板を支持している側部フレームにガイドレールが設けているため、この側部フレームは棚板及びシャッター扉を支持するのに充分な重厚な構成とされている。よって、シャッター扉を取り付けない場合でも、側部フレームは重厚な構成であるため、自重が重くなったりコストが嵩むなど汎用性が良くないという問題点がある。
【０００６】
本発明は、上記事情に鑑みてなされたものであり、物品陳列棚の構造を重厚にすることなく、物品陳列棚に対してシャッター扉を取り付けることができることができるシャッターユニット、シャッター付き物品陳列棚及び物品陳列棚へのシャッター取り付け方法を提供するものである。
【課題を解決するための手段】
【０００７】
上記目的を達成するために、本発明は以下の手段を採用している。
すなわち、本発明に係るシャッターユニットは、左右方向に離間する複数の支持部及び隣り合う前記支持部間に設けられ物品を載置可能な棚板部材を有する物品陳列棚へのシャッターユニットであって、前記支持部の前方に設けられる前部杆と、前記支持部の後方に設けられる後部杆と、対応する前記前部杆の上部と前記後部杆の上部とを連結する連結杆と、それぞれ対応する前記前部杆、前記連結杆及び前記後部杆にわたって連続して設けられるレールと、該レールに沿って移動して前記物品陳列棚の前面を開閉するシャッター扉とを備えることを特徴とする。
また、本発明に係る物品陳列棚へのシャッター取り付け方法は、左右方向に離間する複数の支持部及び該隣り合う支持部間に設けられ物品を載置可能な棚板部材を有する物品陳列棚へ、シャッターを取り付ける物品陳列棚へのシャッター取り付け方法であって、前記支持部のそれぞれ前方に前部杆を取り付け、前記支持部のそれぞれ後方に後部杆を取り付け、前記前部杆の上部と前記後部杆の上部とを、それぞれ連結杆で連結し、それぞれ対応する前記前部杆、前記連結杆及び前記後部杆にわたって、レールを取り付け、該レールに沿って移動して前記物品陳列棚の前面を開閉するシャッター扉を取り付けることを特徴とする。
【０００８】
このように構成されたシャッターユニット及び物品陳列棚へのシャッター取り付け方法では、例えば、既存の物品陳列棚を構成する支持部の前方に前部杆を取り付ける。また、支持部の後方に後部杆を取り付ける。さらに、前部杆と後部杆とを連結杆で連結する。そして、これら前部杆、後部杆及び連結杆にわたってレールを取り付け、このレールにシャッター扉を設けることで、物品陳列棚の前面にシャッター扉を取り付けることができる。
また、シャッター扉を支持しているのは、前部杆及び後部杆である。よって、物品陳列棚の支持部等がシャッター扉を支持しているのでないため、物品陳列棚の構造を重厚にする必要がない。
【０００９】
また、本発明に係るシャッターユニットは、前記物品陳列棚は、前記支持部の下部から前方に向かって延びるベース脚を有し、前記レールは、前記前部杆、前記連結杆、前記後部杆及び前記ベース脚にわたって連続して配置されていることが好ましい。
【００１０】
このように構成されたシャッターユニットでは、レールが、前部杆、連結杆、後部杆及びベース脚にわたって、つまり既存の物品陳列棚の前方、上方、後方及び下方の四方にわたって配置されている。よって、ベース部にレールが設けられていない場合よりも、物品陳列棚の周囲を広く開放することができる。
【００１１】
また、本発明に係るシャッターユニットは、前記一対の連結杆を互いに連結する天板をさらに有していてもよい。
【００１２】
このように構成されたシャッターユニットでは、一対の連結杆を連結する天板は、一対の連結杆が互いに左右方向に近接離間することを防止することができる。
【００１３】
また、本発明に係るシャッター付き物品陳列棚は、左右方向に離間する複数の支持部及び隣り合う前記支持部間に設けられ物品を載置可能な棚板部材を有する物品陳列棚物品陳列棚と、上記のいずれか一に記載のシャッターユニットとを備えることを特徴とする。
【００１４】
このように構成されたシャッター付き物品陳列棚は、上記のシャッターユニットを備えていることにより、支持部の前方に前部杆が取り付けられ、支持部の後方に後部杆が取り付けられている。さらに、前部杆と後部杆とは連結杆で連結されている。そして、これら前部杆、後部杆及び連結杆にわたってレールが取り付けられ、このレールにシャッター扉が設けられることで、物品陳列棚の前面にシャッター扉を取り付けることができる。
また、シャッター扉を支持しているのは、前部杆及び後部杆である。よって、物品陳列棚の支持部等がシャッター扉を支持しているのでないため、物品陳列棚の構造を重厚にする必要がない。
【００１５】
また、本発明に係るシャッター付き物品陳列棚は、前記物品陳列棚が、３つ以上の前記支持部を有し、前記支持部のうち、左右方向両側に他の前記支持部がそれぞれ配された前記支持部に設けられた前記前部杆、前記連結杆及び前記後部杆には、左右方向両側それぞれに前記レールが設けられていることを特徴とする。
【００１６】
このように構成されたシャッター付き物品陳列棚は、左右両側に他の支持部がそれぞれ配された支持部の左右方向両側にそれぞれレールが設けられているため、左右方向に隣接配置された物品陳列棚のそれぞれの前面にシャッター扉を取り付けることができる。
また、シャッター扉を支持しているのは、前部杆及び後部杆である。よって、物品陳列棚の支持部等がシャッター扉を支持しているのでないため、物品陳列棚の構造を重厚にする必要がない。
【発明の効果】
【００１７】
本発明に係るシャッターユニット、シャッター付き物品陳列棚及び物品陳列棚へのシャッター取り付け方法によれば、物品陳列棚の構造を重厚にすることなく、物品陳列棚に対してシャッター扉を取り付けることができる。
【図面の簡単な説明】
【００１８】
【図１】本発明の第一実施形態に係るシャッター付き物品陳列棚の全体構成を示し、シャッター扉が開いた状態の斜視図である。
【図２】本発明の第一実施形態に係るシャッター付き物品陳列棚の全体構成を示し、シャッター扉が閉じた状態の斜視図である。
【図３】本発明の第一実施形態に係るシャッター付き物品陳列棚において、前部杆、連結杆、レール、シャッター扉、天板及び物品陳列棚の一部の棚を省略した分解斜視図である。
【図４】本発明の第一実施形態に係るシャッター付き物品陳列棚において、レール、シャッター扉、天板及び物品陳列棚の一部の棚を省略した分解斜視図である。
【図５】本発明の第一実施形態に係るシャッター付き物品陳列棚の分解斜視図である。
【図６】本発明の第一実施形態に係るシャッター付き物品陳列棚において、シャッター扉が開いた状態の側面図である。
【図７】本発明の第一実施形態に係るシャッター付き物品陳列棚において、シャッター扉が閉じた状態の側面図である。
【図８】本発明の第一実施形態の変形例に係るシャッター付き物品陳列棚において、シャッター扉が閉じた状態の側面図である。
【図９】本発明の第一実施形態の変形例に係るシャッター付き物品陳列棚において、シャッター扉が開いた状態の側面図である。
【図１０】本発明の第二実施形態に係るシャッター付き物品陳列棚の全体構成を示し、シャッター扉が開いた状態の斜視図である。
【発明を実施するための形態】
【００１９】
（第一実施形態）
以下、本発明の第一実施形態に係るシャッター付き物品陳列棚について説明する。
図１及び図２に示すように、シャッター付き物品陳列棚１は、前方から物品の出し入れが可能とされた既存の物品陳列棚２と、この物品陳列棚２にシャッターを取り付けるためのシャッターユニット１００とを備えている。
ここで、シャッター付き物品陳列棚１内の物品を出し入れするためにアクセスする側から背面側に向かう方向（図１に示す左手前から右奥に向かう方向）を前後方向とし、前後方向と交差する方向（図１の左奥から右手前に向かう方向）を左右方向とする。
【００２０】
（物品陳列棚）
まず、物品陳列棚２について説明する。
図１、図３、図４及び図５に示すように、物品陳列棚２は、床面Ｆに沿って延び、床面Ｆ上に左右方向に離間して互いに平行に設置される一対のベース脚１０，１０と、各ベース脚１０上に設けられて上方に延びる一対の支柱（支持部）２０，２０と、一対の支柱２０，２０の下部どうしを互いに連結する下部連結材３０と、一対の支柱２０，２０の上部どうしを互いに連結する上部連結材４０とを備えている。
【００２１】
さらに、物品陳列棚２は、下部連結材３０から上部連結材４０にわたって配置されたバックボード５０と、下部連結材３０に架設され物品を載置可能な下部棚６０と、支柱２０に支持され物品を載置可能な複数の棚板部材７０，７０…とを備えている。なお、ベース脚１０、支柱２０、下部連結材３０、上部連結材４０、下部棚６０及び棚板部材７０は、例えば鋼板を折曲加工して形成されたものである。
【００２２】
ベース脚１０は、断面視略矩形状の中空筒状部材であって、床面Ｆ上に左右方向に間隔をおいて配設された左右一対のものである。このベース脚１０は、支柱２０の下端から前方に向かって配置されている。また、ベース脚１０の前端の下端及び後端の下端には、上下方向の高さ調整を可能とするアジャスター１０Ａ，１０Ａがそれぞれ設けられている。
【００２３】
ベース脚１０の前端には、前方に向かって開口する開口部１０Ｓが形成されている。また、ベース脚１０の後端には、後方に向かって開口する開口部１０Ｔが形成されている。
【００２４】
支柱２０は、断面視略矩形状の中空筒状部材であって、ベース脚１０の後端から上方に向かって延びている。支柱２０の前面及び後面には、棚板部材７０や後述するシャッターユニット１００を係止するための複数の係止孔２０Ｂ，２０Ｂ…が形成されている。本実施形態では、係止孔２０Ｂ，２０Ｂ…は、上下方向に離間して左右方向に２列に形成されている。
また、支柱２０の上端には、上方に向かって開口する開口部２０Ｓが形成されている。
【００２５】
下部連結材３０は、左右方向に向かって延び、両端がそれぞれ一対の支柱２０の下部に取り付けられている。上部連結材４０は、左右方向に向かって延び、両端がそれぞれ一対の支柱２０の上部に取り付けられている。
【００２６】
バックボード５０は、正面視略矩形状の板状部材であって、下部連結材３０、上部連結材４０及び一対の支柱２０の間に取り付けられている。
【００２７】
下部棚６０は、平面視略矩形状の部材であって、左右方向に離間する一対のベース脚１０，１０の間に取り付けられている。
【００２８】
棚板部材７０は、平面視略矩形状の部材であって、左右両端にはブラケット７１，７１が設けられている。このブラケット７１に形成された係止爪（不図示）が、支柱２０に形成された係止孔２０Ｂに係止されることで、棚板部材７０は隣り合う支柱２０，２０間に取り付けられている。
【００２９】
（シャッターユニット）
次に、シャッターユニット１００について説明する。
図３から図５に示すように、シャッターユニット１００は、支柱２０の前方に設けられた前柱（前部杆）１０１と、支柱２０の後方に設けられた後部カバー（後部杆）１０４と、対応する前柱１０１の上部と後部カバー１０４の上部とを連結する一対の前後連結材（連結杆）１０５とを備えている。
【００３０】
さらに、シャッターユニット１００は、それぞれ対応する前柱１０１、前後連結材１０５、後部カバー１０４及び物品陳列棚２のベース脚１０にわたって連続して配置された一対のレール１０８と、レールに沿って移動して物品陳列棚２の前面を開閉するシャッター扉１０９とを備えている。
【００３１】
（前柱）
前柱１０１は、上下方向に延び断面視略矩形状の中空筒状部材の前柱本体１１０と、前柱本体１１０の下端から後方に向かって延びる前柱脚１２０と、前柱本体１１０の上端から後方に向かって延びる前柱折曲部１３０とを有している。
【００３２】
前柱脚１２０は、前柱本体１１０の下端に設けられ断面視略矩形状の中空筒状部材の前柱脚本体１２１と、前柱脚本体１２１の後端から後方に向かって延び、断面視下向きコ字状の前柱下差込部１２２とを有している。前柱脚本体１２１の下面には、上下方向の高さ調整を可能とするアジャスター１２１Ａが設けられている。
【００３３】
この前柱下差込部１２２は、物品陳列棚２のベース脚１０の開口部１０Ｓに差し込まれている。この前柱下差込部１２２の上面に形成された螺合孔１２２Ｐと、ベース脚１０の上面に形成された螺合孔１０Ｐとに、螺子１２２Ｑが螺合されることで、前柱１０１は物品陳列棚２のベース脚１０に取り付けられている。
【００３４】
前柱折曲部１３０は、前柱本体１１０の上端に設けられ断面視略矩形の中空筒状部材の前柱折曲本体１３１と、前柱折曲本体１３１の端部から後方に向かって延び、断面視上向きコ字状の前柱上差込部１３２とを有している。
【００３５】
これら一対の前柱１０１，１０１の下端は、互いにキックプレート１３９で連結されている。キックプレート１３９は、左右方向に延びる部材であって、キックプレート１３９の両端には、それぞれ一対の下向きの係止爪１３９Ｃ，１３９Ｃが上下方向に離間して形成されている。これら係止爪１３９Ｃ，１３９Ｃが前柱１０１の前柱本体１１０の下部に上下方向に離間して形成された一対の係止孔１１０Ｂ，１１０Ｂに係止されることで、キックプレート１３９は一対の前柱１０１間に取り付けられる。
【００３６】
（後部カバー）
後部カバー１０４は、中空状部材であって上下方向に延びている。後部カバー１０４の前面の上部には、下向きの係止爪１０４Ｃが上下方向に離間して２個、左右方向に２列形成されている。また、後部カバー１０４の前面の上下方向略中間部にも、下向きの係止爪１０４Ｃが上下方向に離間して２個、左右方向に２列形成されている。また、後部カバー１０４の前面の下部には、前方に向かって突出する突出片１０４Ｄが左右方向に離間して２個形成されている。
【００３７】
後部カバー１０４に形成された係止爪１０４Ｃは、物品陳列棚２の支柱２０の後面に形成された係止孔２０Ｂに係止されている。また、後部カバー１０４に形成された突出片１０４Ｄは、物品陳列棚２のベース脚１０の後側の開口部１０Ｔに挿通されるとともに、ベース脚１０の側面に形成された螺合孔１０Ｐと、突出片１０４Ｄに形成された螺合孔１０４Ｐとに、螺子１０Ｑが螺合されている。これにより、後部カバー１０４は、物品陳列棚２の支柱２０に取り付けられている。
【００３８】
（前後連結材）
前後連結材１０５は、前後方向に延びる連結本体１５０と、連結本体１５０の下面から下方に向かって延びる取付片１６０及び連結差込部１７０とを有している。
【００３９】
連結本体１５０は、断面視略矩形状の中空筒状部材の部材である。この連結本体１５０の前端には、前方に向かって開口する開口部１５０Ｓが形成されている。取付片１６０は、左右方向に沿う面を有している。連結差込部１７０は、取付片１６０の後方に設けられ、左右方向に沿う面である前壁部１７０Ｅと、前壁部１７０Ｅの両端から後方に向かって延びる一対の側壁部１７０Ｆ，１７０Ｆとを有している。
【００４０】
これら前後連結材１０５の取付片１６０及び連結差込部１７０は、それぞれ物品陳列棚２の支柱２０の上端に形成された開口部２０Ｓに差し込まれている。そして、支柱２０の前面に形成された螺合孔２０Ｐと、前後連結材１０５の取付片１６０の左右方向に沿う面に形成された螺合孔１６０Ｐとに、螺子２０Ｑが螺合されることで、前後連結材１０５は物品陳列棚２の支柱２０に取り付けられている。
【００４１】
ここで、前後連結材１０５の取付片１６０の左右方向に沿う面の前面から連結差込部１７０の側壁部１７０Ｆの後端までの長さ寸法は、支柱２０の開口部２０Ｓの前後方向の長さ寸法と略同一または微小とされている。これにより、前後連結材１０５は支柱２０に対して前後方向の移動が規制された状態で取り付けられている。
【００４２】
また、前後連結材１０５の連結差込部１７０の左右方向に沿う面の幅寸法は、支柱２０の開口部２０Ｓの左右方向の長さ寸法と略同一または微小とされている。これにより、前後連結材１０５は支柱２０に対して左右方向の移動が規制された状態で取り付けられている。
【００４３】
また、前後連結材１０５の連結本体１５０に形成された開口部１５０Ｓには、前柱１０１の前柱上差込部１３２が差し込まれている。この連結本体１５０の前側の下面に形成された螺合孔１５０Ｐと、前柱上差込部１３２の下面に形成された螺合孔１３２Ｐとに、螺子１５０Ｑが螺合されることで、前後連結材１０５は前柱１０１に取り付けられている。
【００４４】
また、前後連結材１０５の連結本体１５０の後側の下面に形成された螺合孔１５１Ｐと、後部カバー１０４の上面に形成された螺合孔１０４Ｐとに、螺子１０４Ｑが螺合されることで、前後連結材１０５は後部カバー１０４に取り付けられている。
【００４５】
これら一対の前後連結材１０５，１０５の間には、天板１７９が設けられている。天板１７９は、平面視略矩形状に形成されている。この天板１７９の下面には、下方に向かって突出する係止片（不図示）が設けられている。この係止片が前後連結材１０５の連結本体１５０の上面に形成された係止孔１５０Ｂに係止されることがで、天板１７９は一対の前後連結材１０５，１０５間に取り付けられている。
【００４６】
また、支柱２０と、前後連結材１０５と、前柱１０１と、ベース脚１０とによって形成された側面視略矩形状の空間部には、アクリル材等で形成されたサイドパネル１７８が取り付けられている。
【００４７】
（レール）
レール１０８は、前柱１０１、前後連結材１０５、後部カバー１０４及び物品陳列棚２のベース脚１０にわたって連続して、これらの部材の棚板部材７０側の面（内側の面）に設けられている。レール１０８には、間隔をあけて複数の取付孔（不図示）が設けられ、この取付孔から前柱１０１等に対して螺子（不図示）を螺合することで、取り付けられている。
【００４８】
具体的には、レール１０８は、前柱１０１に設けられた前レール部１８１と、前レール部１８１の上端から後方に向かって延び前後連結材１０５に設けられた上レール部１８２と、上レール部１８２の後端から下方に向かって延び後部カバー１０４に設けられた後レール部１８３と、後レール部１８３の下端から前方に向かって延びベース脚１０及び前柱１０１の前柱脚１２０に設けられた下レール部１８４とを有している。
【００４９】
前レール部１８１は、前柱１０１の内側の面において、キックプレート１３９の上面から上方に向かって直線状に延びるように取り付けられている。また、前レール部１８１の上端は、上方に向かうにしたがって後方に向かうように円弧状に形成されている。
【００５０】
上レール部１８２は、前レール部１８１の上端に連続して設けられ、前後連結材１０５の連結本体１５０の内側の面に直線状に延びるように取り付けられている。また、上レール部１８２の後端は、後方に向かうにしたがって下方に向かうように円弧状に形成されている。
【００５１】
後レール部１８３は、上レール部１８２の後端に連続して設けられ、後部カバー１０４の内側の面に直線状に延びるように取り付けられている。また、後レール部１８３の下端は、下方に向かうにしたがって前方に向かうように円弧状に形成されている。
【００５２】
下レール部１８４は、後レール部１８３の下端に連続して設けられ、ベース脚１０の内側の面及び前柱１０１の前柱脚１２０の前柱脚本体１２１の内側の面に直線状に延びるように取り付けられている。
【００５３】
このレール１０８には、該レール１０８の延在方向に沿って溝部１８９が形成されている。この溝部１８９に、シャッター扉１０９（図６参照）の両端に設けられた軸部１０９Ｊ（図６参照）が摺動自在に嵌合されている。
【００５４】
（シャッター扉）
図２及び図６に示すように、シャッター扉１０９は、長尺状の部材であって、左右方向に幅広に形成された複数の板状部１９０，１９０…と、これら板状部１９０，１９０を互いに回転可能に連結する軸部１０９Ｊとを有している。
【００５５】
軸部１０９Ｊが、レール１０８部の溝部１８９に摺動可能に嵌合されている。これにより、図２に示すシャッター扉１０９が物品陳列棚２の前面を閉塞するようにシャッター扉１０９が閉じた状態から、図１に示すシャッター扉１０９が物品陳列棚２の前面を開放するようにシャッター扉１０９が開いた状態まで、シャッター扉１０９の移動が可能とされている。
【００５６】
ここで、このレール１０８の前レール部１８１の上端、上レール部１８２の後端及び後レール部１８３の下端が円弧状に形成されているため、シャッター扉１０９はレール１０８に沿って、前後方向の動作から上下方向の動作及び上下方向の動作から前後方向の動作へと滑らかに移行することができる。
【００５７】
次に、上記のようの構成された既存の物品陳列棚２に対して、シャッター扉１０９を取り付ける取り付け方法について説明する。
【００５８】
後部カバー１０４の係止爪１０４Ｃを物品陳列棚２の支柱２０の後面の係止孔２０Ｂに係止させるとともに、後部カバー１０４の突出片１０４Ｄをベース脚１０の後端の開口部１０Ｔに挿通する。そして、ベース脚１０の螺合孔１０Ｐと突出片１０４Ｄの螺合孔１０４Ｐとに螺子１０Ｑを螺合して、後部カバー１０４を支柱２０の後側に取り付ける。
【００５９】
次に、前後連結材１０５の取付片１６０及び連結差込部１７０を支柱２０の上端の開口部２０Ｓに差し込む。そして、支柱２０の前面の螺合孔２０Ｐと取付片１６０の螺合孔１６０Ｐとに螺子２０Ｑを螺合して、前後連結材１０５を支柱２０に取り付ける。
【００６０】
また、前後連結材１０５の連結本体１５０の螺合孔１５１Ｐと後部カバー１０４の上面の螺合孔１０４Ｐとに螺子１０４Ｑを螺合して、前後連結材１０５を後部カバー１０４に取り付ける。
【００６１】
次に、キックプレート１３９の両端の係止爪１３９Ｃを一対の前柱１０１の前柱本体１１０の係止孔１１０Ｂにそれぞれ係止させて、一対の前柱１０１間にキックプレート１３９を取り付ける。
【００６２】
次に、前柱１０１の前柱上差込部１３２を前後連結材１０５の連結本体１５０の前端の開口部１５０Ｓに差し込むとともに、前柱１０１の前柱下差込部１２２をベース脚１０の前端の開口部１０Ｓに差し込む。
【００６３】
そして、前後連結材１０５の連結本体１５０の螺合孔１５０Ｐと前柱上差込部１３２の螺合孔１３２Ｐとに螺子１５０Ｑを螺合して、前柱１０１を前後連結材１０５に取り付ける。また、ベース脚１０の螺合孔１０Ｐと前柱下差込部１２２の螺合孔１２２Ｐとに螺子１２２Ｑを螺合して、前柱１０１をベース脚１０に取り付ける。
【００６４】
次に、支柱２０と、前後連結材１０５と、前柱１０１と、ベース脚１０とによって形成された側面視略矩形状の空間部に、サイドパネル１７８を取り付ける。
【００６５】
次に、前柱１０１に前レール部１８１を、前後連結材１０５に上レール部１８２を、後部カバー１０４に後レール部１８３を、ベース脚１０及び前柱１０１の前柱脚１２０に下レール部１８４を、それぞれ取付孔から螺子で螺合して取り付ける。そして、一対のレール１０８の溝部１８９にシャッター扉１０９の両端の軸部１０９Ｊを摺動可能に嵌合する。ここで、軸部１０９Ｊは例えば軸方向に伸縮可能であるため、溝部１８９に配置する直前に一度収縮し、溝部１８９内に配置されると伸長して、溝部１８９に嵌合される。
【００６６】
次に、天板１７９から下方に向かって突出する係止片を、前後連結材１０５の連結本体１５０の係止孔１５０Ｂに係止されて、天板１７９を前後連結材１０５の上に取り付ける。これにより、シャッター扉１０９が既存の物品陳列棚２に取り付けられる。
【００６７】
次に、シャッター扉１０９の動作について説明する。
図１及び図６に示すシャッター扉１０９が開いた状態から、図２及び図７に示すシャッター扉１０９が閉じた状態にする際には、シャッター扉１０９の先端部１０９Ｚを前方に向かって引く。すると、シャッター扉１０９の軸部１０９Ｊが上レール部１８２の溝部１８９を摺動して、その先端部１０９Ｚが前方に向かうようにシャッター扉１０９が移動する。この先端部１０９Ｚが前レール部１８１の上端付近まで移動すると、先端部１０９Ｚに下向きの力を加える。すると、シャッター扉１０９の軸部１０９Ｊが前レール部１８１の溝部１８９を摺動して、その先端部１０９Ｚが下方に向かうようにシャッター扉１０９が移動する。シャッター扉１０９の先端部１０９Ｚがキックプレート１３９の上面に当たった位置で、シャッター扉１０９の移動は止まる。この際、シャッター扉１０９の先端部１０９Ｚと反対側の端部である後端部１０９Ｙは、後部カバー１０４に設けられた後レール部１８３の上下方向の途中部分に位置している。このように、シャッター扉１０９が物品陳列棚２の前面を閉塞するようにシャッター扉１０９が閉じた状態となる。
【００６８】
また、シャッター扉１０９を開けて、物品陳列棚２の前面を開放する際には、上記の動作とは逆に、シャッター扉１０９の先端部１０９Ｚを引き上げる。これにより、先端部１０９Ｚが上方に向かうようにシャッター扉１０９が移動する。この先端部１０９Ｚが前レール部１８１の上端付近まで移動すると、先端部１０９Ｚに後向きの力を加える。これにより、先端部１０９Ｚが後方に向かうようにシャッター扉１０９が移動する。シャッター扉１０９の後端部１０９Ｙが下レール部１８４の前端に当たった位置で、シャッター扉１０９の移動は止まり、シャッター扉１０９が開いた状態となる。この際、シャッター扉１０９の先端部１０９Ｚは、前後連結材１０５に設けられた上レール部１８２の前後方向の途中部分に位置している。本実施形態では、シャッター扉１０９の先端部１０９Ｚは天板１７９の前端よりも後方に位置している。
なお、レール１０８の長さやシャッター扉１０９の長さを調整することで、シャッター扉１０９が開いた状態におけるシャッター扉１０９の先端部１０９Ｚを適宜前方（後方）に設けることができる。
【００６９】
このように構成されたシャッター付き物品陳列棚１では、既存の物品陳列棚２に対して、前柱１０１、前後連結材１０５、後部カバー１０４及びキックプレート１３９が取り付けられている。また、前柱１０１、前後連結材１０５、後部カバー１０４及びベース脚１０にレール１０８が取り付けられ、レール１０８にシャッター扉１０９が摺動可能に取り付けられている。このように、既存の物品陳列棚２に対してシャッター扉１０９を取り付けることができる。
【００７０】
また、既存の物品陳列棚２とは別に設けられた前柱１０１、前後連結材１０５及び後部カバー１０４が、レール１０８を介してシャッター扉１０９を支持している。よって、既存の物品陳列棚２の支柱２０等がシャッター扉１０９を支持しているわけではないため、物品陳列棚２の構造を重厚にする必要がない。
【００７１】
また、既存の物品陳列棚２にシャッターユニット１００を取り付けることで、物品陳列棚２にシャッター扉１０９を取り付けることができる。よって、シャッター扉１０９が設けられていない物品陳列棚２にシャッター扉１０９を取り付ける際に、物品陳列棚２自体をシャッター扉が設けられた物品陳列棚に交換する場合よりもコストを抑えて、シャッター扉を設けることができる。
【００７２】
また、レール１０８が、前柱１０１、前後連結材１０５、後部カバー１０４及びベース脚１０にわたって、つまり既存の物品陳列棚２の前方、上方、後方及び下方の四方にわたって配置されている。よって、ベース脚１０にレール１０８が配置されていない場合よりも、物品陳列棚２の周囲を広く開放することができる。具体的には、シャッター扉１０９が開いた状態において、物品陳列棚２の前面から上面にわたって開放することができる。
【００７３】
また、レール１０８は支柱２０の前方、上方及び後方に配置され、シャッター扉１０９の両端の軸部１０９Ｊはこのレール１０８の溝部１８９に摺動可能に嵌合されている。よって、一対の支柱２０間に支持された棚板部材７０等がシャッター扉１０９の開閉動作の支障となることがないため、既存の物品陳列棚２に対してシャッター扉１０９を適切に開閉させることができる。
【００７４】
また、一対の前後連結材１０５，１０５を左右方向に連結する天板１７９は、一対の前後連結材１０５が互いに左右方向に近接する方向に狭まったり、左右方向に離間する方向に開いたりすることを防止することができる。よって、一対の前後連結材１０５，１０５の離間距離が一定に保たれるため、シャッター扉１０９の開閉の作動性を良好とすることができる。
【００７５】
また、シャッター扉１０９が開いた際には、シャッター扉１０９の先端部１０９Ｚは前後連結材１０５の前後方向内に位置し、つまりシャッター扉１０９の一部は前後連結材１０５に設けられた上レール部１８２に配置されている。この一対の前後連結材１０５間には天板１７９が設けられているため、前方及び上方からは、上レール部１８２に配置されたシャッター扉１０９の部分は天板１７９で隠れて見えない。よって、シャッター付き物品陳列棚１の外観を良好とすることができる。
【００７６】
（変形例）
図８及び図９に示すように、上記に示す実施形態の変形例に係るシャッター付き物品陳列棚１Ｚは、レール１０８Ｚが前柱１０１、前後連結材１０５及び後部カバー１０４に設けられているが、ベース脚１０には設けられていない。
【００７７】
レール１０８Ｚの後レール部１８３Ｚは、後部カバー１０４の上下方向途中部分まで配置されている。
【００７８】
シャッター扉１０９Ｐの先端部１０９Ｇから後端部１０９Ｈまでの長さは、第一実施形態のシャッター扉１０９の先端部１０９Ｚから後端部１０９Ｙまでの長さよりも短い。
【００７９】
図８に示すシャッター扉１０９Ｐが閉じた状態では、シャッター扉１０９Ｐの先端部１０９Ｇはキックプレート１３９（図１参照）の上面に当たっている。また、シャッター扉１０９Ｐの後端部１０９Ｈは、上レール部１８２の上下方向の途中部分に位置している。
【００８０】
一方、図９に示すシャッター扉１０９Ｐが開いた状態では、シャッター扉１０９Ｐの後端部１０９Ｈは後レール部１８３Ｚの下端に当たっている。また、シャッター扉１０９Ｐの先端部１０９Ｇは、上レール部１８２の前後方向の途中部分に位置している。この先端部１０９Ｇは、第一実施形態におけるシャッター扉１０９の先端部１０９Ｚの位置よりも前方に位置している。本実施形態では、先端部１０９Ｚは、天板１７９の前端よりも前方に位置している。
【００８１】
このように構成されたシャッター付き物品陳列棚１Ｚでは、シャッター扉１０９Ｐの前後方向の長さを第一実施形態のシャッター扉１０９の前後方向の長さよりも短くするとともに、レール１０８Ｚの全長を第一実施形態のレール１０８の全長よりも短い。この場合でも、シャッター扉１０９Ｐを閉じた状態とすることができるとともに、シャッター扉１０９Ｐを開いた状態とすることができる。また、シャッター扉１０９Ｐ及びレール１０８Ｚの材料コストを第一実施形態よりも抑えることができる。
【００８２】
また、シャッター扉１０９Ｐを開いた状態において、先端部１０９Ｇが天板１７９の前方に位置している。よって、この状態からシャッター扉１０９Ｐを閉じる際に、先端部１０９Ｇを握りやすいため、操作性を良好とすることができる。
【００８３】
（第二実施形態）
以下、本発明の第二実施形態に係るシャッター付き物品陳列棚２０１について、主に図１０を用いて説明する。
この実施形態において、前述した実施形態で用いた部材と同一の部材には同一の符号を付して、その説明を省略する。
【００８４】
本実施形態に係るシャッター付き物品陳列棚２０１は、物品陳列棚として第一物品陳列棚２１１と、この第一物品陳列棚２１１の右側に設けられた第二物品陳列棚２１２とを有している。この第一物品陳列棚２１１及び第二物品陳列棚２１２には、それぞれ第一シャッターユニット３０１、第一シャッターユニット３０２が設けられている。
【００８５】
第一物品陳列棚２１１は、一対のベース脚１０Ｌ，１０Ｍと、各ベース脚１０Ｌ，１０Ｍ上に設けられて上方に延びる一対の支柱２０Ｌ，２０Ｍと、一対の支柱２０Ｌ，２０Ｍの下部どうしを互いに連結する下部連結材３０と、一対の支柱２０Ｌ，２０Ｍの上部どうしを互いに連結する上部連結材４０とを備えている。
【００８６】
第二物品陳列棚２１２は、一対のベース脚１０Ｍ，１０Ｎと、各ベース脚１０Ｍ，１０Ｎ上に設けられて上方に延びる一対の支柱２０Ｍ，２０Ｎと、一対の支柱２０Ｍ，２０Ｎの下部どうしを互いに連結する下部連結材３０と、一対の支柱２０Ｍ，２０Ｎの上部どうしを互いに連結する上部連結材４０とを備えている。
【００８７】
ここで、ベース脚１０Ｍ及び支柱２０Ｍは、第一物品陳列棚２１１の右側のベース脚及び右側の支柱であるとともに、第二物品陳列棚２１２の左側のベース脚及び左側の支柱も兼ねている。
【００８８】
つまり、シャッター付き物品陳列棚２０１は、ベース脚、支柱をそれぞれ３つずつ有している。また、シャッター付き物品陳列棚２０１は、下部連結材、上部連結材を２つずつ有している。
【００８９】
なお、ベース脚１０Ｌ，１０Ｍ，１０Ｎの構成は、第一実施形態におけるベース脚１０と同じである。また、支柱２０Ｌ，２０Ｍ，２０Ｎの構成は、第一実施形態における支柱２０の構成と同じである。
【００９０】
第一シャッターユニット３０１は、支柱２０Ｌ，２０Ｍの前方に設けられた一対の前柱１０１Ｌ，１０１Ｍと、支柱２０Ｌ，２０Ｍの後方に設けられた一対の後部カバー１０４Ｌ，１０４Ｍと、前柱１０１Ｌの上部と後部カバー１０４Ｌの上部とを連結する前後連結材１０５Ｌと、前柱１０１Ｍの上部と後部カバー１０４Ｍの上部とを連結する前後連結材１０５Ｍとを備えている。
【００９１】
さらに、第一シャッターユニット３０１は、前柱１０１Ｌ、前後連結材１０５Ｌ、後部カバー１０４Ｌ及びベース脚１０Ｌにわたって連続して配置されたレール１０８Ｌと、前柱１０１Ｍ、前後連結材１０５Ｍ、後部カバー１０４Ｍ及びベース脚１０Ｍにわたって連続して配置されたレール１０８Ｍ１と、一対のレール１０８Ｌ，１０８Ｍ１間に開閉可能に設けられたシャッター扉１０９とを備えている。
【００９２】
第二シャッターユニット３０２は、支柱２０Ｍ，２０Ｎの前方に設けられた一対の前柱１０１Ｍ，１０１Ｎと、支柱２０Ｍ，２０Ｎの後方に設けられた一対の後部カバー１０４Ｍ，１０４Ｎと、前後連結材１０５Ｍと、前柱１０１Ｎの上部と後部カバー１０４Ｍの上部とを連結する前後連結材１０５Ｎとを備えている。
【００９３】
さらに、第二シャッターユニット３０２は、前柱１０１Ｍ、前後連結材１０５Ｍ、後部カバー１０４Ｍ及び第一物品陳列棚２１１のベース脚１０Ｍにわたって連続して配置されたレール１０８Ｍ２と、前柱１０１Ｎ、前後連結材１０５Ｎ、後部カバー１０４Ｎ及びベース脚１０Ｎにわたって連続して配置されたレール１０８Ｎと、一対のレール１０８Ｍ２，１０８Ｎ間に開閉可能に設けられたシャッター扉１０９とを備えている。
【００９４】
ここで、前柱１０１Ｍ、後部カバー１０４Ｍ及び前後連結材１０５Ｍは、第一シャッターユニット３０１の右側の前柱、後部カバー及び前後連結材であるとともに、第二シャッターユニット３０２の左側の前柱、後部カバー及び前後連結材も兼ねている。
【００９５】
また、前柱１０１Ｍ、前後連結材１０５Ｍ、後部カバー１０４Ｍ及びベース脚１０Ｍの左側の面にはレール１０８Ｍ１が配置されているとともに、前柱１０１Ｍ、前後連結材１０５Ｍ、後部カバー１０４Ｍ及びベース脚１０Ｍの右側の面にはレール１０８Ｍ２が配置されている。
【００９６】
つまり、シャッター付き物品陳列棚２０１は、前柱、後部カバー、前後連結材をそれぞれ３つずつ有している。また、シャッター付き物品陳列棚２０１は、２つのシャッターを有している。
【００９７】
また、第一シャッターユニット３０１の前後連結材１０５Ｌと第二シャッター取り付けユニットシャッターユニット３０２の前後連結材１０５Ｎとの間には、天板７９が設けられている。
【００９８】
このように構成されたシャッター付き物品陳列棚２０１では、左右方向に隣接配置された第一物品陳列棚２１１、第二物品陳列棚２１２に対して、それぞれ第一シャッターユニット３０１、第二シャッターユニット３０２が取り付けられている。
また、第一シャッターユニット３０１と第二シャッターユニット３０２とが隣接する側の前柱１０１Ｍ、後部カバー１０４Ｍ及び前後連結材１０５Ｍは、第一シャッターユニット３０１及び第二シャッターユニット３０２のそれぞれの前柱、後部カバー及び前後連結材の役割を担っている。よって、部品点数を抑えることができるため、材料コストを抑えることができる。また、第一物品陳列棚２１１の右側及び第二物品陳列棚２１２の左側に、それぞれ別々の前柱、後部カバー及び前後連結材を設ける場合よりも、施工性を向上させることができるとともに、コンパクトな納まりとすることができる。
【００９９】
また、上述した実施の形態において示した動作手順、あるいは各構成部材の諸形状や組み合わせ等は一例であって、本発明の主旨から逸脱しない範囲において設計要求等に基づき種々変更可能である。
【０１００】
例えば、上記に示す実施形態において、既存の物品陳列棚２に取り付けられる前柱１０１、前後連結材１０５及び後部カバー１０４は中空状部材で構成されているが、本発明はこれに限らない。例えば、前部杆、連結杆及び後部杆で側面視略矩形状の板状の一枚の後付側板（不図示）を構成していてもよい。この場合には、前部杆が後付側板の前側部分を構成し、連結杆が後付側板の上側部分を構成し、後部杆が後付側板の後側部分を構成している。この後付側板を既存の物品陳列棚２の支柱２０やベース脚１０の側方に取り付け、後付側板の内縁に沿ってレール１０８を配置し、このレール１０８の溝部１８９にシャッター扉１０９の両端部を摺動可能に嵌合すれば、既存の物品陳列棚２にシャッター扉１０９を取り付けることができる。
【０１０１】
また、上記に示す実施形態において、既存の物品陳列棚２の左右方向側面は筒状部材の支柱２０とベース脚１０とで構成されているが、本発明はこれに限らない。例えば、支柱２０とベース脚１０とが側面視略矩形状の板状の一枚の既存側板（不図示）を構成していてもよい。つまり、支柱２０が既存側板の後側部分を構成し、ベース脚１０が既存側板の下側部分を構成している。この場合には、既存側板の前方に前部杆を取り付け、既存側板の後方に後部杆を取り付け、既存側板の上方に連結杆を取り付ければ、上記のようにレール１０８及びシャッター扉１０９を取り付けることができる。
【０１０２】
また、上記に示す第二実施形態において、物品陳列棚は２つ隣接配置されているが、本発明はこれに限られず３つ以上隣接配置されていてもよい。この場合には、左右両端に配置される支柱以外の支柱に取り付けられた前柱、前後連結材、後部カバー及びベース脚の左右両側にレールが取り付けられる構成となる。
【０１０３】
また、上記に示す実施形態において、物品陳列棚２として既存の物品陳列棚を例に挙げて説明したが、本発明はこれに限られず、シャッター取り付けユニット１００は新品の物品陳列棚にも取付け可能である。
【０１０４】
また、シャッター付き物品陳列棚１は、スーパーマーケットやコンビニエンスストア等の店舗に設置され、商品を陳列可能とされる。この他には、シャッター付き物品陳列棚１は、図書館や博物館等に設置され、書籍等を陳列又は収容可能とされるものにも適用可能である。
【符号の説明】
【０１０５】
１，１Ｚ，２０１…シャッター付き物品陳列棚
２，２１１，２１２…物品陳列棚
１０，１０Ｌ，１０Ｍ，１０Ｎ…ベース脚
２０，２０Ｌ，２０Ｍ，２０Ｎ…支柱（支持部）
７０…棚板部材
１００，３０１，３０２…シャッターユニット
１０１，１０１Ｌ，１０１Ｍ，１０１Ｎ…前柱（前部杆）
１０４，１０４Ｌ，１０４Ｍ，１０４Ｎ…後部カバー（後部杆）
１０５，１０５Ｌ，１０５Ｍ，１０５Ｎ…前後連結材（連結杆）
１７９…天板
１０８，１０８Ｚ，１０８Ｌ，１０８Ｍ１，１０８Ｍ２，１０８Ｎ…レール
１０９，１０９Ｐ…シャッター扉
【図１】
2015023895.tif 000003
【図２】
2015023895.tif 000004
【図３】
2015023895.tif 000005
【図４】
2015023895.tif 000006
【図５】
2015023895.tif 000007
【図６】
2015023895.tif 000008
【図７】
2015023895.tif 000009
【図８】
2015023895.tif 000010
【図９】
2015023895.tif 000011
【図１０】
2015023895.tif 000012